(57)【要約】【課題】プロテクタにおいて電線を容易かつ確実に位置決め固定することができるようにすることを目的とする。【解決手段】プロテクタ２０は、電線収容部２２と、電線固定片４０とを備える。電線収容部２２は、電線１２を収容可能な収容空間が形成されると共に、収容空間に収容された電線１２を外部に引出す電線引出口部２３が形成された構成とされている。電線固定片４０は、電線収容部２２とは別体に形成され、結束部材１８によって電線１２の延在方向一定位置に固定された状態で、電線引出口部２３に合体可能に構成されている。【選択図】図６
2016185015.tif 000002
【特許請求の範囲】
【請求項１】
電線を収容可能な収容空間が形成されると共に前記収容空間に収容された前記電線を外部に引出すための電線引出口部が形成された電線収容部と、
前記電線収容部とは別体であり、結束部材によって前記電線の延在方向一定位置に固定された状態で、前記電線引出口部に合体可能に構成された電線固定片と、
を備えるプロテクタ。
【請求項２】
請求項１に記載のプロテクタであって、
前記電線と前記電線固定片とを結束固定する前記結束部材の少なくとも一部が前記電線収容部内に配設される位置で、前記電線固定片が前記電線収容部に合体可能に構成された、プロテクタ。
【請求項３】
請求項２に記載のプロテクタであって、
前記電線収容部は、
底板部と前記底板部の両側から立ち上がる一対の側壁部とを含むプロテクタ本体部と、
前記プロテクタ本体部に対して前記底板部に対向する開口部を塞ぐように取付けられる蓋部と、
を備えるプロテクタ。
【請求項４】
請求項１〜請求項３のいずれか１項に記載のプロテクタであって、
前記電線固定片は、前記電線に結束固定される被結束部と、前記被結束部よりも幅広な幅広部と、を含み、
前記幅広部の側部と前記電線収容部との一方に固定凸部が形成されると共に、他方に前記固定凸部を配設可能な電線固定凹部が形成されている、プロテクタ。
【請求項５】
請求項１〜請求項４のいずれか１項に記載のプロテクタであって、
前記電線固定片を複数備え、
前記複数の電線固定片が、前記電線引出口部に並列状態で合体可能に構成されている、プロテクタ。
【請求項６】
請求項１〜請求項５のいずれか１項に記載のプロテクタであって、
前記電線引出口部に一体形成された一体型電線固定片をさらに備え、
前記電線固定片が、前記一体型電線固定片の隣で、前記電線引出口部に合体可能に構成されている、プロテクタ。
【請求項７】
請求項１〜請求項６のいずれか１項に記載のプロテクタと、
電線と、
前記電線と前記電線固定片とを結束固定する結束部材と、
を備え、
前記電線固定片が前記電線引出口に合体されると共に、前記電線が前記電線引出口から外部に引出された状態で前記収容空間に収容された、プロテクタ付電線。
【発明の詳細な説明】
【技術分野】
【０００１】
この発明は、電線を保護するプロテクタに関する。
【背景技術】
【０００２】
特許文献１は、プロテクタの両端にテープ巻き片を形成する構成を開示している。特許文献１では、粘着テープが、ワイヤーハーネス及びテープ巻き片に巻付けられることによって、ワイヤーハーネスがプロテクタに固定される。
【０００３】
特許文献２は、ゴム部材のスリットに枝線の基端部分を挿入し、このゴム部材をプロテクタの枝線収容部に嵌め込んで固定する技術を開示している。
【先行技術文献】
【特許文献】
【０００４】
【特許文献１】特開２０１２−８５４７８号公報
【特許文献２】特開２０１２−１００４６０号公報
【発明の概要】
【発明が解決しようとする課題】
【０００５】
しかしながら、特許文献１に開示の技術によると、ワイヤーハーネスをプロテクタの本体内に収容した状態で、粘着テープの巻付け作業を行う必要があるし、また、テープ巻き片はプロテクタの本体に一体形成されている。このため、テープ巻き片の延在方向によっては、テープの巻付作業が困難となる。
【０００６】
また、特許文献２に開示の技術によると、枝線の保持力は、枝線に対するゴム部材の摩擦力に依存しているため、保持力が弱いという問題がある。このため、車両組付時等に、枝線が引っ張られると、ゴム部材に対して枝線がずれてしまう恐れがある。
【０００７】
そこで、本発明は、プロテクタにおいて電線を容易かつ確実に位置決め固定することができるようにすることを目的とする。
【課題を解決するための手段】
【０００８】
上記課題を解決するため、第１の態様に係るプロテクタは、電線を収容可能な収容空間が形成されると共に前記収容空間に収容された前記電線を外部に引出すための電線引出口部が形成された電線収容部と、前記電線収容部とは別体であり、結束部材によって前記電線の延在方向一定位置に固定された状態で、前記電線引出口部に合体可能に構成された電線固定片とを備える。
【０００９】
第２の態様は、第１の態様に係るプロテクタであって、前記電線と前記電線固定片とを結束固定する前記結束部材の少なくとも一部が前記電線収容部内に配設される位置で、前記電線固定片が前記電線収容部に合体可能に構成されている。
【００１０】
第３の態様は、第２の態様に係るプロテクタであって、前記電線収容部は、底板部と前記底板部の両側から立ち上がる一対の側壁部とを含むプロテクタ本体部と、前記プロテクタ本体部に対して前記底板部に対向する開口部を塞ぐように取付けられる蓋部とを備える。
【００１１】
第４の態様は、第１〜第３のいずれか１つの態様に係るプロテクタであって、前記電線固定片は、前記電線に結束固定される被結束部と、前記被結束部よりも幅広な幅広部と、を含み、前記幅広部の側部と前記電線収容部との一方に固定凸部が形成されると共に、他方に前記固定凸部を配設可能な電線固定凹部が形成されているものである。
【００１２】
第５の態様は、第１〜第４のいずれか１つの態様に係るプロテクタであって、前記電線固定片を複数備え、前記複数の電線固定片が、前記電線引出口部に並列状態で合体可能に構成されているものである。
【００１３】
第６の態様は、第１〜第５のいずれか１つの態様に係るプロテクタであって、前記電線引出口部に一体形成された一体型電線固定片をさらに備え、前記電線固定片が、前記一体型電線固定片の隣で、前記電線引出口部に合体可能に構成されているものである。
【００１４】
第７の態様に係るプロテクタ付電線は、第１〜第６のいずれか１つの態様に係るプロテクタと、電線と、前記電線と前記電線固定片とを結束固定する結束部材とを備え、前記電線固定片が前記電線引出口に合体されると共に、前記電線が前記電線引出口から外部に引出された状態で前記収容空間に収容されたものである。
【発明の効果】
【００１５】
第１〜第７の態様によると、結束部材によって電線を電線固定片に固定した後、当該電線固定片を電線収容部に固定できる。このため、プロテクタにおいて電線を容易かつ確実に位置決め固定することができる。
【００１６】
第２の態様によると、結束部材の少なくとも一部が電線収容部内に配設されるため、当該結束部材を保護することができる。
【００１７】
第３の態様によると、前記プロテクタ本体部に対して前記底板部に対向する開口部を通じて電線をプロテクタ本体部内に容易に収容できる。そして、開口部を蓋部によって塞ぐことで、電線と、結束部分の少なくとも一部を保護することができる。
【００１８】
第４の態様によると、被結束部と電線とを結束固定した状態で、幅広部の側部と電線収容部との一方に形成された固定凸部を、他方の電線固定凹部内に配設することで、電線固定片を電線収容部に固定できる。この際、被結束部よりも幅広な幅広部の側部に形成された電線固定凹部内に、固定凸部を配設すればよいため、当該配設作業による固定作業を容易に行える。
【００１９】
第５の態様によると、複数の電線固定片のそれぞれに、電線を結束固定できるため、電線の結束固定作業を容易に実施でき、また、電線をより確実に固定できる。
【００２０】
第６の態様によると、一体型電線固定片及び電線固定片のそれぞれに、電線を結束固定できるため、電線の結束固定作業を容易に実施でき、また、電線をより確実に固定できる。
【図面の簡単な説明】
【００２１】
【図１】実施形態に係るプロテクタ付電線を示す斜視図である。
【図２】プロテクタを示す分解斜視図である。
【図３】プロテクタ本体部を示す平面図である。
【図４】電線固定片を示す平面図である。
【図５】蓋部を示す平面図である。
【図６】プロテクタ付電線の製造工程を示す説明図である。
【図７】プロテクタ付電線の製造工程を示す説明図である。
【図８】第１変形例に係るプロテクタを示す説明図である。
【図９】第２変形例に係るプロテクタを示す説明図である。
【発明を実施するための形態】
【００２２】
以下、実施形態に係るプロテクタ２０及びプロテクタ付電線１０について説明する。図１はプロテクタ付電線１０を示す斜視図である。なお、図１及び以下の各図において、プロテクタ２０の一端部が示され、他端部は省略されている。
【００２３】
プロテクタ付電線１０は、プロテクタ２０と、電線１２と、結束部材１８とを備える。
【００２４】
電線１２は、導電線である芯線の周囲に絶縁被覆が形成されたものである。電線１２は、電力の供給或は信号の伝送を行う。ここでは、プロテクタ付電線１０は、複数の電線１２を含む。複数の電線１２は、本プロテクタ２０によって収容される部分、又は、その外部で分岐していてもよい。複数の電線１２がプロテクタ２０によって収容される部分で分岐する場合、プロテクタ２０には、その延在方向中間部で分岐した部分を外部に延出させる開口が形成されているとよい。
【００２５】
複数の電線１２の端部には、コネクタが取付けられている。そして、本プロテクタ付電線１０が車両に組付けられた状態で、各コネクタが車両に搭載された各種電気部品にコネクタ接続される。すなわち、複数の電線１２は、車両における配線材であるワイヤーハーネスとして用いられる。電線１２に対して、光ファイバーケーブルが一緒に束ねられていてもよい。ここでは、プロテクタ２０が、複数の電線１２が直線状に束ねられた部分を収容する例で説明する。
【００２６】
プロテクタ２０は、複数の電線１２の直線状部分の一部を収容する。複数の電線１２は、プロテクタ２０の一端部の電線引出口部２３から外部に引出される。プロテクタ２０の他端部については、ここで説明する電線引出口部２３と同様構成とされていてもよいし、従来と同様に、電線固定片が一体形成された構成とされていてもよい。
【００２７】
図２はプロテクタ２０を示す分解斜視図であり、図３はプロテクタ本体部２４を示す平面図であり、図４は電線固定片４０を示す平面図であり、図５は蓋部３０を示す平面図である。
【００２８】
プロテクタ２０は、電線収容部２２と、電線固定片４０とを備える。
【００２９】
電線収容部２２は、筒状、ここでは、角筒状に形成されている。ここでは、電線収容部２２は、幅方向寸法よりも高さ方向寸法が小さい角筒状に形成されているが、これは必須ではない。そして、電線収容部２２内に、電線１２を収容可能な直方体状の収容空間が形成される。また、電線収容部２２の両端部には、電線１２を外部に引出すための電線引出口部２３が形成されている。ここでは、電線引出口部２３は、方形状の開口部である。
【００３０】
より具体的には、電線収容部２２は、プロテクタ本体部２４と、蓋部３０とを備える。
【００３１】
プロテクタ本体部２４は、樹脂等によって金型成型された部材であり、底板部２５と、一対の側壁部２８とを備える。
【００３２】
底板部２５は、細長板状に形成されている。底板部２５は、その延在方向の中間部等で、その幅方向又はその厚み方向に曲っていてもよい。
【００３３】
一対の側壁部２８は、底板部２５の両側部から底板部２５の一方主面側に立上がるように形成されている。なお、ここでは、一対の側壁部２８は、底板部２５に対して直交姿勢で立上がっているが、両者が湾曲部を介して繋がっていてもよい。
【００３４】
そして、底板部２５と一対の側壁部２８とで囲まれる空間内に、電線１２の延在方向の中間部を収容できるようになっている。
【００３５】
底板部２５のうち電線引出口部２３を形成する開口端部には、固定凸部２６が形成されている。この固定凸部２６については、電線固定片４０との関係で後述する。
【００３６】
また、一対の側壁部２８の外面のうち底板部２５とは反対側の部分に、ロック受部２９が設けられている。ロック受部２９は、底板部２５に直交する方向に貫通する開口２９ｈを有しており、後述する蓋部３０のロック片３２が本開口２９ｈに挿通されることで、ロック受部２９に係止固定される。
【００３７】
蓋部３０は、樹脂等によって金型成型された部材であり、プロテクタ本体部２４に対して、底板部２５に対向する開口部を塞ぐように、取付可能に構成されている。ここでは、蓋部３０は、底板部２５と同様の細長板状に形成されており、底板部２５の反対側でプロテクタ本体部２４の開口部の全体を塞ぐ構成とされている。
【００３８】
蓋部３０の両側部であって上記ロック受部２９に対応する位置には、ロック片３２が突設されている。ロック片３２は、蓋部３０の両側部からプロテクタ本体部２４側に向けて突出する板状部３３と、板状部３３の先端部の外面に突出するロック突部３４とを備える。ロック突部３４は、ロック片３２の先端側に向けて徐々に高さ寸法が小さくなる形状に形成されている。そして、ロック片３２をロック受部２９の開口２９ｈに挿通すると、ロック突部３４が開口２９ｈを抜出た状態で、開口２９ｈの周縁部に抜止め係止する。これにより、ロック片３２とロック受部２９とがロックされ、蓋部３０がプロテクタ本体部２４に取付けられる。
【００３９】
このため、電線収容部２２の端部の電線引出口部２３は、プロテクタ本体部２４と蓋部３０とによって四方を囲まれた構成とされている。
【００４０】
なお、蓋部３０が設けられていることは必須ではない。従って、電線収容部は、底板部とは反対側で開口したままの形状とされていてもよい。
【００４１】
電線固定片４０は、上記電線収容部２２とは別体として、樹脂等によって金型成形された部材であり、結束部材１８によって電線１２の延在方向一定位置に固定された状態で、電線引出口部２３に合体可能に構成されている。
【００４２】
より具体的には、電線固定片４０は、全体として板状に形成されており、被結束部４２と、幅広部４４とを備える。
【００４３】
被結束部４２は、電線１２に結束固定される板状部分である。被結束部４２は、複数の電線１２の束の外径よりも小さい幅寸法であることが好ましい。これにより、結束部材１８を、電線１２の束と被結束部４２とに巻付けた際に、結束部材１８が複数の電線１２を束ねた状態で保持する力が効果的に作用し、電線１２を束ねた状態でより確実に一定位置に固定できる。
【００４４】
また、被結束部４２のうち幅広部４４の反対側の縁部は、その一主面側に突出する抜止め部４３に形成されている。結束部材１８は、被結束部４２のうち抜止め部４３よりも内側の部分に結束される。これにより、結束部材１８が抜止め部４３に引っ掛かり、もって、被結束部４２からの脱落が抑制されている。
【００４５】
幅広部４４は、被結束部４２の一端部に同一平面上に広がるように一体形成された板状部分である。幅広部４４は、被結束部４２よりも幅広に形成されている。好ましくは、幅広部４４は、複数の電線１２の束の外径よりも大きい幅寸法に形成されている。これにより、被結束部４２を電線１２の束に固定した状態で、幅広部４４の両端部が電線１２の束の両側部にはみ出る。
【００４６】
上記幅広部４４及び電線収容部２２の電線引出口部２３のうちの一方に、固定凸部２６が形成され、他方に、電線固定凹部４６が形成されている。
【００４７】
ここでは、電線収容部２２のプロテクタ本体部２４に固定凸部２６が形成され、幅広部４４に電線固定凹部４６が形成されている。
【００４８】
より具体的には、プロテクタ本体部２４の底板部２５のうち電線引出口部２３を形成する端部の両側部に一対の固定凸部２６が形成されている。
【００４９】
固定凸部２６は、側壁部２８の延在方向に沿って平たい板状に形成されている。これにより、固定凸部２６を電線固定凹部４６に挿入され嵌り込んだ状態で、電線固定片４０をなるべく一定姿勢で保持できる。もっとも、固定凸部２６は、丸棒状又は角棒状等に形成されていてもよい。
【００５０】
また、固定凸部２６の高さ寸法は、側壁部２８の高さ寸法と同じか小さい（僅かに小さい）寸法に設定されている。これにより、固定凸部２６を電線固定凹部４６に挿入した状態で、固定凸部２６が電線固定凹部４６からその先端側に外れ難くなる。もっとも、固定凸部２６の高さ寸法は、上記例より小さくてもよい。
【００５１】
また、固定凸部２６の先端部は、先端側に向けて徐々に幅狭になると共に徐々に薄くなる形状に形成されている。これにより、固定凸部２６を電線固定凹部４６に容易に挿入できるようになっている。もっとも、固定凸部２６の先端部は、その手前部分と同じ大きさ部分が連続する形状であってもよい。
【００５２】
また、電線固定凹部４６のうち底板部２５側への開口部分が当該底板部２５側に向けて徐々に広がる形状に形成されていてもよい。また、電線固定凹部４６に対して固定凸部２６が圧入され、これにより、抜止めが図られていてもよい。さらに、固定凸部２６が電線固定凹部４６に奥まで挿入された状態で、電線固定凹部４６に抜止め係止するロック突起が固定凸部２６に突設されていてもよい。
【００５３】
また、一対の固定凸部２６は、側壁部２８に対して間隔をあけた位置に設けられている。一対の固定凸部２６間の間隔寸法は、電線１２の束の外径と同じかこれよりも大きく設定されている。これにより、一対の固定凸部２６間に電線１２の束を配設できる。
【００５４】
電線固定凹部４６は、幅広部４４の両側部であって、一対の固定凸部２６に対応する位置に形成されている。
【００５５】
電線固定凹部４６は長方形貫通孔状に形成されている。電線固定凹部４６は、上記固定凸部２６をなるべく隙間なくぴったりと嵌め込める形状及び大きさであることが好ましい。
【００５６】
なお、電線固定凹部４６の両側部のうち底板部２５側に配設される部分は、上記抜止め部４３と同程度の突出寸法で突出する突部４８に形成されている。このため、電線固定片４０を底板部２５上に配設すると、抜止め部４３と一対の突部４８が底板部２５上に接するように配設される。
【００５７】
上記一対の固定凸部２６を一対の電線固定凹部４６に挿入配置すると、電線固定片４０が電線引出口部２３に対して一定位置に固定される。
【００５８】
この状態では、被結束部４２と電線１２とに結束された結束部材１８の少なくとも一部が電線収容部２２内に配設されるように、上記一対の固定凸部２６の位置が設定されている。ここでは、被結束部４２の端部が電線引出口部２３の縁部と一致して配設された状態で、一対の電線固定凹部４６が配設される位置に、一対の固定凸部２６が形成されている。このため、上記一対の固定凸部２６を一対の電線固定凹部４６に挿入配置し、電線固定片４０を電線収容部２２に合体させると、被結束部４２及び電線１２を結束する結束部材１８は、電線収容部２２の電線引出口部２３内に配設される。
【００５９】
結束部材１８は、電線１２と電線固定片４０とを結束固定するための部材である。ここでは、結束部材１８は、粘着テープによって構成されている。粘着テープは、帯状の樹脂製基材の一方主面に粘着層が形成されたものである。電線１２に電線固定片４０を沿わせて配設した状態で、電線１２及び被結束部４２に粘着テープを巻付けることによって、電線１２と電線固定片４０とが結束固定されている。結束部材１８としては、その他、結束バンド等が用いられてもよい。
【００６０】
上記プロテクタ付電線１０の製造作業について説明する。
【００６１】
まず、電線１２（ここでは、複数の電線１２の束）の延在方向一定位置の外周周りの下側の位置に、電線固定片４０の被結束部４２を沿わせて配設する。そして、図６に示すように、電線１２及び被結束部４２の周りに、粘着テープを巻付けて、これを結束部材１８とする。この結束作業は、電線１２をプロテクタ本体部２４内に収容する前に行うことができる。もっとも、電線１２の一部がプロテクタ本体部２４内に収容された状態において、電線１２のうちの結束作業対象部位をプロテクタ本体部２４から取出した状態で、上記結束作業を実施することも可能である。
【００６２】
この後、図７に示すように、電線１２をプロテクタ本体部２４内の収容空間内に配設すると共に、プロテクタ本体部２４の底板部２５の一対の固定凸部２６を電線固定片４０の一対の電線固定凹部４６に挿入し、電線固定片４０をプロテクタ本体部２４に合体させる。これにより、電線１２の延在方向所定位置が、プロテクタ本体部２４の一端側で一定位置に支持される。
【００６３】
そして、ロック片３２をロック受部２９に挿入してロック固定し、蓋部３０をプロテクタ本体部２４に取付ける。これにより、プロテクタ付電線１０が製造される。
【００６４】
以上のように構成されたプロテクタ２０及びプロテクタ付電線１０によると、結束部材１８によって電線１２を電線固定片４０に固定した後、当該電線固定片４０をプロテクタ本体部２４に固定できる。このため、電線固定片４０に対する結束部材１８による結束作業を、電線収容部２２によって邪魔されずに容易に行うことができる。しかも、電線固定片４０をプロテクタ本体部２４に固定することで、電線１２を電線引出口部２３に確実に位置決めすることができる。また、電線１２は、粘着テープによって電線固定片４０に結束固定されるため、比較的安価に固定できる。
【００６５】
また、結束部材１８は、電線収容部２２内に収容されて保護されるため、結束部材１８が電線１２及び電線固定片４０を結束した状態がより確実に維持される。これにより、電線収容部２２に対して電線１２がより確実に一定位置に固定された状態が維持される。
【００６６】
なお、結束部材１８の全体が電線収容部２２内に収容されていることは必須ではなく、結束部材１８の少なくとも一部が電線収容部２２内に収容されていれば、その部分については電線収容部２２によって保護することが可能となる。
【００６７】
また、電線収容部２２は、プロテクタ本体部２４と蓋部３０とによって構成されている。このため、プロテクタ本体部２４に対して電線１２を容易に収容することができ、また、電線固定片４０をプロテクタ本体部２４内で容易に固定することができる。そして、電線引出口部２３がプロテクタ本体部２４及び蓋部３０によって四方を囲まれた構成とされているため、電線１２を結束部材１８の少なくとも一部とをより確実に保護することが可能となる。特に、蓋部３０によって結束部材１８に対する水かかりを抑制することができる。
【００６８】
もっとも、結束部材１８の少なくとも一部が電線収容部２２内に配設されていることは必須ではなく、結束部材の全体が電線収容部から露出していてもよい（後述する図９に示す変形例参照）。
【００６９】
また、電線収容部２２に固定凸部２６が形成されると共に、電線固定片４０の幅広部４４の側部に固定凸部２６を配設可能な電線固定凹部が形成されているため、被結束部４２と電線１２とを結束固定した状態で、固定凸部２６を電線固定凹部４６内に配設することで、電線固定片４０を電線収容部２２に固定できる。この際、被結束部４２よりも幅広な幅広部４４の側部に形成された電線固定凹部４６内に固定凸部２６を配設すればよいため、当該配設による固定作業を容易に行える。
【００７０】
なお、底板部２５側に固定凸部２６を形成し、電線固定片４０側に電線固定凹部４６を形成することは必須ではない。その逆に、底板部側に電線固定凹部を形成し、電線固定片側に、底板部側に突出して電線固定凹部に配設される固定凸部を形成してもよい。
【００７１】
また、ここでは、一対の固定凸部及び一対の電線固定凹部を形成しているが、必ずしもその必要はない。例えば、底板部の一側部に１つの固定凸部が形成され、電線固定片の一側部に１つの電線固定凹部のみが形成されていてもよい。この場合、電線固定片の他方の側壁部を側壁部の内面に押し当てることが好ましい。
【００７２】
また、ここでは、電線固定凹部は、幅広部を貫通する孔として形成されているが、必ずしもその必要はない。幅広部のうち底板部側から凹む有底凹部が形成され、底板部に形成された高さ寸法の低い固定凸部が当該有底凹部に嵌まる構成であってもよい。また、電線固定凹部は、幅広部の側方に向けて開口していてもよい。
【００７３】
上記実施形態を前提とする変形例について説明する。
【００７４】
まず、図８に示す第１変形例に係るプロテクタ１２０では、電線固定片４０が複数（ここでは２つ）設けられており、当該電線固定片４０が並列状態で電線収容部２２の電線引出口部２３に合体可能に構成されている。なお、図８及び図９では、電線１２の束の概形が図示されている。
【００７５】
より具体的には、底板部２５に対応する底板部１２５がより幅広に形成されている。そして、上記一対の固定凸部２６が、当該底板部１２５に対して、幅方向に並ぶように、複数組（２組）形成されている。
【００７６】
また、複数の電線固定片４０のそれぞれに、上記と同様にして、電線１２（電線１２の束）が結束固定されている。そして、各組の一対の電線固定片４０が、それぞれ対応する電線固定片４０の一対の電線固定凹部４６に挿入されている。これにより、一対の電線固定片４０が電線引出口部２３に並列状態で合体及び固定されている。
【００７７】
この例によると、上記第１実施形態と同様の作用効果を得ることができる。
【００７８】
加えて、偏平な電線収容部２２に多数の電線１２を支持する場合に、当該多数の電線１２をより確実に一定位置に固定できるというメリットがある。
【００７９】
すなわち、多数の電線を偏平な電線収容部に固定する場合、幅広な電線固定片に対して、複数の電線を偏平状態に並べて電線を結束固定することが考えられる。この場合、幅広な電線固定片の幅方向中央部では、結束部材による結束力が及び難く、その部分で電線の位置ずれが生じ易い。
【００８０】
これに対して、本変形例では、多数の電線１２を分けて、それぞれ別々の電線固定片４０に結束固定することができる。この場合、各電線固定片４０を比較的幅狭に形成することができるため、それぞれの電線固定片４０では、電線１２をより確実に一定位置で支持することができる。結果、複数の電線固定片４０によって、多数の電線１２をより確実に一定位置に固定できることになる。
【００８１】
しかも、各電線固定片４０と電線１２とを結束固定する際には、電線固定片４０をばらばらな状態で取扱うことができるため、相互に結束作業の邪魔とはならない。
【００８２】
また、図９に示す第２変形例に係るプロテクタ２２０では、上記電線固定片４０とは別に、電線引出口部２３に一体形成された一体型電線固定片２４０をさらに備えている。そして、電線固定片４０が、一体型電線固定片２４０の隣で、電線引出口部２３に合体可能に構成されている。
【００８３】
より具体的には、底板部２５に対応する底板部２２５がより幅広に形成されている。底板部２２５の端部の一側部よりの位置から外方に延出するように、一体型電線固定片２４０が延出している。一体型電線固定片２４０は、底板部２２５等を含むプロテクタ本体部２２４を形成する際に、一体に金型成形された部分である。一体型電線固定片２４０自体は、上記被結束部４２と同様構成とされている。
【００８４】
また、底板部１２５の上面の他側部よりの位置に、一対の固定凸部２６が突設されている。そして、当該一対の固定凸部２６を一対の電線固定凹部４６に挿入することで、電線固定片４０が電線引出口部２３に合体する。
【００８５】
なお、ここでは、一対の固定凸部２６を、底板部２５の端部よりの位置に形成し、被結束部４２が、上記一体型電線固定片２４０と同様に、底板部２５から突出するように配設されるようにしている。もっとも、被結束部４２は、上記実施形態と同様に、電線引出口部２３内に収容される位置に配設されてもよい。このような位置関係も、一体型電線固定片２４０と電線固定片４０とが隣合う位置関係に配設される場合に含まれる。
【００８６】
そして、多数の電線１２の一部が一体型電線固定片２４０に対して結束固定される。また、多数の電線１２の他の一部が被結束部４２に結束固定された後、一対の固定凸部２６が一対の電線固定凹部４６に挿入されることで、電線固定片４０が電線引出口部２３に合体する。
【００８７】
この第２変形例によると、電線１２と電線固定片４０とを結束固定する構成に関しては、上記実施形態と同様の作用効果を得ることができる。
【００８８】
また、多数の電線１２を分けて、その一部を一体型電線固定片２４０に固定し、他の一部を電線固定片４０に固定しているため、上記第１変形例と同様に、多数の電線１２をより確実に一定位置に固定できることになる。また、電線固定片４０又は一体型電線固定片２４０と電線１２とを結束固定する際には、電線固定片４０及び一体型電線固定片２４０をばらばらな状態で取扱うことができるため、相互に結束作業の邪魔とはならない。
【００８９】
なお、上記実施形態及び各変形例で説明した各構成は、相互に矛盾しない限り適宜組合わせることができる。
【００９０】
以上のようにこの発明は詳細に説明されたが、上記した説明は、すべての局面において、例示であって、この発明がそれに限定されるものではない。例示されていない無数の変形例が、この発明の範囲から外れることなく想定され得るものと解される。
【符号の説明】
【００９１】
１０    プロテクタ付電線
１２    電線
１８    結束部材
２０、１２０、２２０    プロテクタ
２２    電線収容部
２３    電線引出口部
２４、２２４    プロテクタ本体部
２５、１２５、２２５    底板部
２６    固定凸部
２８    側壁部
３０    蓋部
４０    電線固定片
４２    被結束部
４４    幅広部
４６    電線固定凹部
２４０  一体型電線固定片
【図１】
2016185015.tif 000003
【図２】
2016185015.tif 000004
【図３】
2016185015.tif 000005
【図４】
2016185015.tif 000006
【図５】
2016185015.tif 000007
【図６】
2016185015.tif 000008
【図７】
2016185015.tif 000009
【図８】
2016185015.tif 000010
【図９】
2016185015.tif 000011